(57)【要約】【課題】セパレータに形成された細長形状のガス供給用開口やガス排気用開口に対応する位置よりも外側の非発電領域を有効に活用し、低温始動性に優れた燃料電池とその制御方法を提供する。【解決手段】膜電極接合体３の両側にガス透過層が配され、いずれか一方のガス透過層側にセパレータ７が配されて燃料電池セル１０を成し、該燃料電池セル１０が積層されてなる燃料電池１００であり、セパレータ７に設けられたガス供給用開口７１ａとガス排気用開口の間の内側に対応する中央領域に触媒層２，２’（第１の触媒層）が形成されており、中央領域の外側の周縁領域には、加熱手段（第２の触媒層２ａ，２’ａ）が配されており、セル内の温度が予め設定された温度以下の場合に、該加熱手段を作動する制御手段をさらに具備している。【選択図】図１
2010287439.tif 000002
【特許請求の範囲】
【請求項１】
電解質膜と、該電解質膜の両側で当接する触媒層と、から膜電極接合体が形成され、該膜電極接合体の両側にガス透過層が配され、いずれか一方のガス透過層側には、燃料ガスもしくは酸化剤ガスのいずれか一方を該ガス透過層に提供するセパレータが配されて燃料電池セルを成し、該燃料電池セルが積層されてなる燃料電池であって、
前記セパレータには、アノード側もしくはカソード側のガス透過層に燃料ガスもしくは酸化剤ガスを提供するためのガス供給用開口と、該アノード側もしくはカソード側のガス透過層から燃料ガスもしくは酸化剤ガスを排出するためのガス排気用開口が開設されており、
前記ガス供給用開口と前記ガス排気用開口の間の内側に対応する中央領域に触媒層が形成されており、
前記燃料電池セルのうち、前記中央領域の外側の周縁領域には、加熱手段が配されており、セル内の温度が予め設定された温度以下の場合に、該加熱手段を作動する制御手段をさらに具備している、燃料電池。
【請求項２】
前記中央領域の触媒層は第１の触媒層であり、
前記周縁領域には、前記第１の触媒層と絶縁された第２の触媒層が形成されており、
第１の触媒層が介在する第１の回路と、
前記加熱手段となる、第２の触媒層が介在する第２の回路と、
少なくとも前記第２の回路に設けられて該回路をＯＮ−ＯＦＦ制御するスイッチと、
セル内温度検知手段と、をさらに有し、
セル内温度検知手段にてセル内の温度が前記予め設定された温度以下であることが検知された際に、前記制御手段によって、少なくとも前記第２の回路のスイッチがＯＮ制御されるようになっている、請求項１に記載の燃料電池。
【請求項３】
前記第１の回路も該回路をＯＮ−ＯＦＦ制御するスイッチを有しており、
前記セル内温度検知手段にてセル内の温度が前記予め設定された温度以下であることが検知された際に、第２の回路のスイッチに加えて、第１の回路のスイッチもＯＮ制御されるようになっており、
セル内の温度が前記予め設定された温度よりも高くなった際に、燃料ガスおよび酸化剤ガスのセル内への導入が実行されるようになっている、請求項２に記載の燃料電池。
【請求項４】
前記セル内温度検知手段にて、セル内の冷却媒体の温度が検知される、請求項２または３に記載の燃料電池。
【請求項５】
前記第１の触媒層に比して、前記第２の触媒層の発熱に寄与する抵抗が相対的に大きくなっている、請求項２〜４のいずれかに記載の燃料電池。
【請求項６】
前記セパレータは、第１のプレート、中間層、第２のプレートが積層された３層構造を呈しており、該第１のプレートもしくは第２のプレートのいずれか一方に細長形状の前記開口が開設されており、該中間層のうち、前記中央領域に対応する位置において、冷却媒体が流通するようになっている、請求項１〜５のいずれかに記載の燃料電池。
【請求項７】
前記ガス透過層は、ガス拡散層、金属多孔体からなるガス流路層、該ガス拡散層と該ガス流路層の組み合わせ、のいずれかの形態からなり、
アノード側とカソード側双方のガス透過層が、複数の前記形態中の同一の形態、もしくは異なる形態のいずれかからなる、請求項１〜６のいずれかに記載の燃料電池。
【請求項８】
電解質膜と、該電解質膜の両側で当接する触媒層と、から膜電極接合体が形成され、該膜電極接合体の両側にガス透過層が配され、いずれか一方のガス透過層側には、燃料ガスもしくは酸化剤ガスのいずれか一方を該ガス透過層に提供するセパレータが配されて燃料電池セルを成し、該燃料電池セルが積層されてなる燃料電池であって、前記セパレータには、アノード側もしくはカソード側のガス透過層に燃料ガスもしくは酸化剤ガスを提供するためのガス供給用開口と、該アノード側もしくはカソード側のガス透過層から燃料ガスもしくは酸化剤ガスを排出するためのガス排気用開口が開設され、前記ガス供給用開口と前記ガス排気用開口の間の内側に対応する中央領域に触媒層が形成されている、燃料電池の内部温度の制御方法であって、
以下のステップのいずれか一方が選択され、実行されるものであり、該ステップは、
セル内の温度が予め設定された温度以下である際に、少なくとも、燃料電池セルの前記中央領域の外側の周縁領域に配された加熱手段を加熱するステップ、
セル内の温度が予め設定された温度よりも高い場合に、燃料電池セルの前記中央領域の触媒層を介して燃料電池の発電を実行し、電力を取り出すステップ、からなる、燃料電池の制御方法。
【請求項９】
前記周縁領域には、前記第１の触媒層と絶縁された第２の触媒層が形成され、第１の触媒層が介在する第１の回路と、前記加熱手段となる、第２の触媒層が介在する第２の回路と、該加熱手段を作動する制御手段と、少なくとも前記第２の回路に設けられて該回路をＯＮ−ＯＦＦ制御するスイッチと、セル内温度検知手段と、を有した燃料電池の制御方法であって、
セル内温度検知手段にてセル内の温度が前記予め設定された温度以下であることが検知された際に、前記制御手段によって、少なくとも前記第２の回路のスイッチがＯＮ制御されるようになっており、
セル内温度検知手段にてセル内の温度が前記予め設定された温度よりも高い温度であることが検知された際に、前記制御手段によって、前記第２の回路のスイッチがＯＦＦ制御され、前記第１の回路のスイッチがＯＮ制御されるようになっている、請求項８に記載の燃料電池の制御方法。
【請求項１０】
前記セル内の温度が予め設定された温度以下である際に、前記加熱手段を加熱することに加えて、燃料ガスおよび酸化剤ガスをセル内に導入しない姿勢で前記第１の回路もＯＮ制御するようになっており、
セル内の温度が前記予め設定された温度よりも高くなった際に、燃料ガスおよび酸化剤ガスのセル内への導入が実行されるようになっている、請求項９に記載の燃料電池の制御方法。
【請求項１１】
前記セル内温度検知手段にて、セル内の冷却媒体の温度が検知される、請求項９または１０に記載の燃料電池の制御方法。
【発明の詳細な説明】
【技術分野】
【０００１】
本発明は、低温始動性に優れた燃料電池と、その制御方法に関するものである。
【背景技術】
【０００２】
固体高分子型燃料電池の燃料電池セルは、イオン透過性の電解質膜と、該電解質膜を挟持するアノード側およびカソード側の触媒層とから膜電極接合体（ＭＥＡ：Ｍｅｍｂｒａｎｅ  Ｅｌｅｃｔｒｏｄｅ  Ａｓｓｅｍｂｌｙ）が形成され、この膜電極接合体とこれを挟持するアノード側およびカソード側のガス拡散層（ＧＤＬ）とから電極体（ＭＥＧＡ：Ｍｅｍｂｒａｎｅ  Ｅｌｅｃｔｒｏｄｅ  ＆  Ｇａｓ  Ｄｉｆｆｕｓｉｏｎ  Ｌａｙｅｒ  Ａｓｓｅｍｂｌｙ）が形成され、電極体に燃料ガスもしくは酸化剤ガスを提供するとともに電気化学反応によって生じた電気を集電するための金属多孔体からなるガス流路層とセパレータが電極体の両側に配されて構成されている。なお、セパレータにガス流路溝が形成された燃料電池セルも従来一般のものであり、この形態の場合にはガス流路層となる金属多孔体は不要である。実際の燃料電池スタックは、所要電力に応じた基数の燃料電池セルが積層され、スタッキングされることによって形成されている。
【０００３】
上記する燃料電池では、アノード電極に燃料ガスとして水素ガス等が提供され、カソード電極には酸化剤ガスとして酸素や空気が提供され、各電極では固有のガス流路層（またはセパレータに形成されたガス流路溝）にて面内方向にガスが流れ、次いでガス拡散層にて拡散されたガスが電極触媒層に導かれて電気化学反応がおこなわれるものである。
【０００４】
上記する燃料電池セルにおいては、膜電極接合体に供給される燃料ガスや酸化剤ガス、さらにはセルの昇温を抑止するための冷却水などの冷却媒体をシールするためのガスケットが、電極体や金属多孔体の周縁に射出成形や圧縮成形にて形成されている。たとえばガス流路となる金属多孔体を具備する燃料電池セルにおいては、成形型のキャビティ内にアノード側もしくはカソード側の一方の金属多孔体を収容し、次いで電極体を収容し、次いでアノード側もしくはカソード側の他方の金属多孔体を収容した姿勢で、電極体および金属多孔体の周縁のガスケット形成用キャビティに樹脂を注入してガスケット成形がおこなわれている。なお、キャビティ内にアノード側もしくはカソード側いずれか一方のセパレータを最初に収容し、次いで上記する構成部材を収容して射出成形をおこなう方法もある。
【０００５】
上記するセパレータには、たとえばチタンやステンレスからなる２枚のプレート（カソード側プレートとアノード側プレート）の間に流路が形成されたプレート（中間層、中間プレート）が介層された３層構造のものや、中間層を樹脂製の枠材とし、２枚のプレートの一方から多数のディンプルや流路を画成するリブを突出させて冷却水流路を形成するものなどがあり（このような構造も３層構造のセパレータに含めることができる）、この３層構造のセパレータを具備する燃料電池が特許文献１に開示されている。この構造のセパレータは、当該セル自体のアノード側もしくはカソード側のいずれか一方のセパレータであると同時に、積層姿勢において隣接するセルのアノード側もしくはカソード側の他方のセパレータとなるものである。すなわち、この３層構造セパレータを有する燃料電池セルのセル構成部材は、一つの３層構造セパレータと、アノード側およびカソード側のガス透過層（エキスパンドメタルや金属発泡焼結体などの金属多孔体からなるガス流路層）と、電極体（膜電極接合体およびガス拡散層）と、からなり、複数の燃料電池セルが積層された姿勢において、任意の燃料電池セルは、その両端にアノード側およびカソード側のセパレータを有することとなる。
【０００６】
ここで、３層構造セパレータの理解を容易とするべく、図４に３層構造セパレータを具備する燃料電池セルの縦断面図を示している。
図４において、燃料電池セルは、電解質膜ａとこれを挟持するカソード側およびアノード側の触媒層ｂ１、ｂ２とから膜電極接合体ｃが形成され、この膜電極接合体ｃをカソード側およびアノード側のガス拡散層ｄ１、ｄ２が挟持して電極体ｅが形成され、電極体ｅをカソード側およびアノード側のガス流路層ｆ１、ｆ２が挟持し、アノード側のガス流路層ｆ２の下方に、３層構造のセパレータｈが配され、電極体ｅの側方に流体流通用のマニホールドＭを具備するガスケットｇが射出成形等されてその全体が構成されている。この３層構造のセパレータｈは、２枚のステンレス製もしくはチタン製の第１のプレートｈ１（アノード側プレート）と第２のプレートｈ２（カソード側プレート）と、このプレートｈ１、ｈ２間に介在してガスや冷却水などの流体用の流路を画成する中間層ｈ３（中間プレート）と、から構成されている。なお、燃料電池スタックは、図示する燃料電池セルが複数積層され、スタッキングされることによって形成されるものであり、不図示の燃料電池セルが図示する燃料電池セルの上下に積層されるものである。
【０００７】
中間層ｈ３には、酸化剤ガスを不図示の燃料電池セル（図示する燃料電池セルの下方に位置することとなる燃料電池セル）のカソード側ガス流路層に提供するための酸化剤ガス導入路ｈ３ａ（酸化剤ガスの流れ：Ｚ１）と、図示する燃料電池セル自身のアノード側ガス流路層ｆ２に燃料ガスを提供するための燃料ガス導入路ｈ３ｂ（燃料ガスの流れ：Ｚ２）、さらには、発電経過における電極体ｅの昇温を抑止するための冷却媒体が流通する冷却用流路ｈ３ｃが形成されている。なお、図４は、酸化剤ガスが流通するマニホールドＭを通る断面で切断した縦断面図である。
【０００８】
ところで、燃料電池セルにおいては、その触媒層が形成された領域が一般に発電領域となっており、セパレータの全面積に対する該発電領域の割合は発電面積利用率と称され、この発電面積利用率を可及的に高くすることが求められている。
【０００９】
しかし、図４からも明らかなように、３層構造セパレータでは、その構造上の制約（ガスの導入路を設けたり、酸化剤ガスと燃料ガスのそれぞれに固有のガス流路層等へガスを供給するための開口（燃料ガス用のガス供給用開口ｈ１ａ、酸化剤ガス用のガス供給用開口ｈ２ａ）およびガス流路層等からガスを排気するための排気用開口（不図示）を同じ側面領域に設けるなど）から、電極体ｅの触媒層形成領域は、冷却媒体が流通する冷却用流路が形成されている平面範囲にしか設けることができない。より具体的には、平面視でカソード側のガス供給用開口ｈ２ａおよびガス排気用開口（不図示）よりもアノード側のガス供給用開口ｈ１ａおよびガス排気用開口（不図示）が内側に形成されている場合には、このアノード側のガス供給用開口ｈ１ａおよびガス排気用開口の内側範囲に触媒層形成領域（図中の中央領域）が限定されている。なお、これらの開口は、ガス流路層の全範囲に効果的にガスを提供するとともに、ガス流路層等からのガスの効率的な排気を図るべく、触媒層と同程度の幅をその延長とする細長形状に形成される形態もあり、このような細長形状のガス開口は、いわゆるコモンレールと称されることもある。
【先行技術文献】
【特許文献】
【００１０】
【特許文献１】特開２００８−１２３８８３号公報
【発明の概要】
【発明が解決しようとする課題】
【００１１】
上記理由から触媒層形成領域が制限されているのに対して、発電領域を仮に広げ、この触媒層形成領域を中央領域のみならず、その外側の周縁領域まで広げた場合に（したがって、少なくとも上記コモンレールｈ１ａ、ｈ２ａに対応する平面位置、およびそれよりもさらに外側の領域に触媒層が形成される）、この周縁領域に対応するガス流路層等において（対応する位置には冷却用流路が形成されていない）、高密度電流通電時等の際に異常過熱が生じ、電解質膜にガスのクロスリーク路となり得る孔が開いたり、あるいは、異常過熱によってドライアップが助長され、燃料電池の局所的な発電落ち（発電性能低下、発電不可）が生じ得るという課題が危惧される。
【００１２】
さらに、上記する周縁領域は、マニホールドＭから導入されるガスリッチな酸化剤ガスや燃料ガスが流れ込んでくる領域でもあるため、発電経過において、電極体の中央領域よりも高温になり易く、上記する課題の発生が一層懸念される。
【００１３】
そこで、上記する燃料電池セルの周縁領域に触媒層を設けて、発電利用面積を広げる代わりに、この周縁領域のガス透過層（ガス流路層やガス拡散層など）に他の作用を奏させるべく、当該領域を有効に利用する試み、検証が現在進行している。
【００１４】
ところで、上記するコモンレールは、燃料ガスや酸化剤ガスをガス透過層に供給し、あるいはガス透過層から外部へ排出するために比較的大きな開口面積を有するものである一方で、燃料電池セル内で生成された生成水等がこのコモンレールを閉塞するという課題があり、当該分野にて解決すべき重要な課題の一つとなっている。
【００１５】
たとえば、燃料電池セル内が氷点下雰囲気の場合に、このようにコモンレール内で水分が滞留した姿勢で燃料電池の発電を停止した場合、滞留した水分が凍結してコモンレールやセパレータのガス導入路、ガス排出路等を閉塞してしまい、たとえば氷点下起動時に燃料電池セルへのガス提供が阻害されて起動不良が生じるという課題が懸念される。また、この際には、冷却媒体も同様に凍結していることが十分に考えられ、したがって、冷却媒体による電極体の昇温抑制が図れないといった課題も懸念される。
【００１６】
本発明は、上記する問題に鑑みてなされたものであり、燃料電池セルで発電に寄与していない未使用領域を有効活用すること、および、セル内に存在する液体（冷却媒体である冷却水等）が凍結し得る低温雰囲気の場合における低温始動性に優れた、燃料電池とその制御方法を提供することを目的とする。
【課題を解決するための手段】
【００１７】
前記目的を達成すべく、本発明による燃料電池は、電解質膜と、該電解質膜の両側で当接する触媒層と、から膜電極接合体が形成され、該膜電極接合体の両側にガス透過層が配され、いずれか一方のガス透過層側には、燃料ガスもしくは酸化剤ガスのいずれか一方を該ガス透過層に提供するセパレータが配されて燃料電池セルを成し、該燃料電池セルが積層されてなる燃料電池であって、前記セパレータには、アノード側もしくはカソード側のガス透過層に燃料ガスもしくは酸化剤ガスを提供するためのガス供給用開口と、該アノード側もしくはカソード側のガス透過層から燃料ガスもしくは酸化剤ガスを排出するためのガス排気用開口が開設されており、前記ガス供給用開口と前記ガス排気用開口の間の内側に対応する中央領域に触媒層が形成されており、前記燃料電池セルのうち、前記中央領域の外側の周縁領域には、加熱手段が配されており、セル内の温度が予め設定された温度以下の場合に、該加熱手段を作動する制御手段をさらに具備しているものである。
【００１８】
ここで、上記する燃料電池セルの構造は、膜電極接合体のアノード側とカソード側の双方に拡散層基材と集電層からなるガス拡散層を具備する形態、アノード側とカソード側のいずれか一方は集電層のみを具備する（拡散層基材が廃された）形態の双方を含んでいる。また、本明細書では、これらのいずれの形態も電極体と称呼している。また、電極体の両側にガス流路溝が形成されたセパレータが直接配された形態は勿論のこと、いわゆるフラットタイプのセパレータと電極体の間に、ガス流路層（エキスパンドメタル等の金属多孔体）が配された形態を含むものである。さらに、「ガス透過層」とは、ガス拡散層とガス流路層の双方を含む意味である。したがって、ガス流路層を具備しないセル形態においては「ガス透過層」は「ガス拡散層」を意味するものであり、ガス拡散層とガス流路層の双方を具備するセル形態においては「ガス透過層」は「ガス拡散層」と「ガス流路層」の双方もしくはいずれか一方を意味するものである。
【００１９】
また、本発明の燃料電池を構成する燃料電池セルは、たとえば３層構造のセパレータを有し、かつ、このセパレータに開設されて、ガス透過層へ燃料ガスや酸化剤ガスを提供するガス供給用開口と、ガス透過層からのガスを排気するためのガス排気用開口と、を有し、たとえば、これらの開口が細長形状に形成されているものにおいて、これらの開口の間の中央領域に対応する電極体内にアノード側およびカソード側の触媒層が形成されており、この中央領域の外側の周縁領域のたとえばガス透過層（ガス流路層やガス拡散層など）に加熱手段が形成されている。すなわち、セル構造のうち、本来的に発電に寄与しない周縁領域に加熱手段を配し、セル内のたとえば冷却媒体等の温度をセンシングし、冷却媒体等が凍結する温度を基準として、この基準温度（予め設定された温度）以下の場合に周縁領域に配された加熱手段を作動させてセル内を昇温し、冷却媒体等の凍結を効果的に防止する、もしくは、既に凍結している冷却媒体等を迅速に融解することで、低温始動性に優れた燃料電池となるものである。
【００２０】
なお、ここでいう「低温始動性」とは、セル内に存在する冷却媒体等が凍結し得る低温雰囲気下において、可及的速やかに、燃料電池スタックを構成する各燃料電池セルの所期の発電を実行できる状態となる性能を指称している。
【００２１】
ここで、加熱手段の一例として、発熱素子や小型ヒータなどを挙げることができる。そして、温度センサ等の検知手段による計測結果が、たとえば燃料電池スタックの外部に設けられた制御手段（装置）に送られ、計測温度が予め設定された温度以下の場合には、制御手段から加熱手段へ作動信号が送信され、発熱素子や小型ヒータ等が発熱するものである。なお、加熱手段の作動後も温度センサ等のセンシングは継続され、セル内が昇温され過ぎないように、すなわち、所定の温度に達した段階で加熱手段の作動が停止されるような制御が実行されるのが好ましい。
【００２２】
また、「予め設定された温度」としては、冷却媒体に冷却水を使用する場合には、この冷却水や上記する開口を仮に閉塞している水分の氷点である摂氏ゼロ度を、この温度に設定することができるし、その氷点よりも若干高めの温度をこの「予め設定された温度」としておくことで、冷却媒体の凍結を確実に抑止するようにしてもよい。
【００２３】
燃料電池スタックの低温作動時において、上記する加熱手段によってセル内の冷却媒体等の凍結が抑止され、あるいは、既に凍結している冷却媒体等が融解され、当該冷却媒体等が可及的速やかに凍結温度以上とされる。そして、この凍結温度以上が確認された段階で、燃料電池スタックの本来的な発電がおこなわれるものである。なお、セル内の温度が上記する設定温度よりも高い場合には、加熱手段の作動はおこなわれず、燃料電池スタックの本来的な発電のみが実行されることは言うまでもない。
【００２４】
上記する本発明による燃料電池によれば、従来構造では未使用であった燃料電池セルの非発電領域となる周縁領域のガス流路層等に適宜の加熱手段を配し、この加熱手段を所望に制御してセル内の温度を迅速に昇温することにより、冷却媒体等の液体が凍結しないように調整でき、もしくは、凍結している場合には即座に融解させることができるため、燃料電池セルの未使用領域を有効に利用しながら、低温始動性に優れた燃料電池を得ることが可能となる。
【００２５】
また、本発明による燃料電池の他の実施の形態は、前記中央領域の触媒層は第１の触媒層であり、前記周縁領域には、前記第１の触媒層と絶縁された第２の触媒層が形成されており、第１の触媒層が介在する第１の回路と、前記加熱手段となる、第２の触媒層が介在する第２の回路と、少なくとも前記第２の回路に設けられて該回路をＯＮ−ＯＦＦ制御するスイッチと、セル内温度検知手段と、をさらに有し、セル内温度検知手段にてセル内の温度が前記予め設定された温度以下であることが検知された際に、前記制御手段によって、少なくとも前記第２の回路のスイッチがＯＮ制御されるようになっているものである。
【００２６】
本実施の形態は、前記周縁領域にも中央領域の触媒層（第１の触媒層）とは別途の触媒層（第２の触媒層）を設けておき、この第２の触媒層を加熱手段として利用するものである。
【００２７】
たとえば、３層構造セパレータが適用される場合には、その中央領域に冷媒流路が存在し、その周縁領域には当該冷媒流路が存在しない。したがって、この第２の触媒層を介して発電をおこなった際には、冷却媒体による昇温抑制が図られないことから、周縁領域は自ずと昇温する。本実施の形態は、周縁領域が冷却媒体によって冷却されないことを有効に利用し、これを加熱手段として各燃料電池セルの低温始動性を高めようとするものである。
【００２８】
なお、前記第１の回路も該回路をＯＮ−ＯＦＦ制御するスイッチを有していてもよく、前記セル内温度検知手段にてセル内の温度が前記予め設定された温度以下であることが検知された際に、第２の回路のスイッチに加えて、第１の回路のスイッチもＯＮ制御されるようになっており、セル内の温度が前記予め設定された温度よりも高くなったことが確認された段階で、燃料ガスおよび酸化剤ガスのセル内への導入が実行され、発電が開始されるものであってもよい。
【００２９】
上記実施の形態の具体的な構成としては、第１の触媒層を含む回路を第１の回路とし、この回路で燃料電池スタックによる発電が実行されるものであり、加熱手段である第２の触媒層を含む回路を第２の回路とし、この回路は、セル内温度（のたとえば冷却媒体等）が予め設定された温度以下の場合にのみ使用されるものである。そして、少なくとも第２の回路にはそのＯＮ−ＯＦＦが制御自在なスイッチ（リレースイッチ、トランジスタなど）が設けてあり、この回路スイッチのＯＮ−ＯＦＦ制御は、セル内温度検知手段（たとえば温度センサ等）による測定結果に基づき、制御手段からの制御信号によって所望に制御されるものである。なお、第１、第２の回路を完全に絶縁するべく、少なくとも、第１、第２の触媒層の間に適宜の絶縁材が介層されている。なお、このセル内温度検知手段は、冷却媒体用マニホールドにおける冷却媒体の入口近傍もしくは出口近傍に一箇所程度設けておいてもよいし、各燃料電池セルのセパレータに形成されたガス導入用開口やガス排気用開口などに設けておいてもよい。
【００３０】
ここで、第２の触媒層の加熱作用を高めるべく、第１の触媒層に比して、第２の触媒層の発熱に寄与する抵抗を相対的に大きくしておくのがよい。
たとえば、第１の触媒層に比して、第２の触媒層を形成する担持触媒量を相対的に少なくしたり、第１の触媒層のガス透過層との間の接触抵抗に比して、第２の触媒層のガス透過層との間の接触抵抗を相対的に大きくする（したがって、面圧を低減する）、などの措置を挙げることができる。
【００３１】
また、本発明による燃料電池の制御方法は、電解質膜と、該電解質膜の両側で当接する触媒層と、から膜電極接合体が形成され、該膜電極接合体の両側にガス透過層が配され、いずれか一方のガス透過層側には、燃料ガスもしくは酸化剤ガスのいずれか一方を該ガス透過層に提供するセパレータが配されて燃料電池セルを成し、該燃料電池セルが積層されてなる燃料電池であって、前記セパレータには、アノード側もしくはカソード側のガス透過層に燃料ガスもしくは酸化剤ガスを提供するためのガス供給用開口と、該アノード側もしくはカソード側のガス透過層から燃料ガスもしくは酸化剤ガスを排出するためのガス排気用開口が開設され、前記ガス供給用開口と前記ガス排気用開口の間の内側に対応する中央領域に触媒層が形成されている、燃料電池の内部温度の制御方法であって、以下のステップのいずれか一方が選択され、実行されるものであり、該ステップは、セル内の温度が予め設定された温度以下である際に、少なくとも、燃料電池セルの前記中央領域の外側の周縁領域に配された加熱手段を加熱するステップ、セル内の温度が予め設定された温度よりも高い場合に、燃料電池セルの前記中央領域の触媒層を介して燃料電池の発電を実行し、電力を取り出すステップ、からなるものである。
【００３２】
さらに、本発明による燃料電池の制御方法の他の実施の形態において、前記周縁領域には、前記第１の触媒層と絶縁された第２の触媒層が形成され、第１の触媒層が介在する第１の回路と、前記加熱手段となる、第２の触媒層が介在する第２の回路と、該加熱手段を作動する制御手段と、少なくとも前記第２の回路に設けられて該回路をＯＮ−ＯＦＦ制御するスイッチと、セル内温度検知手段と、を有した燃料電池の制御方法であって、セル内温度検知手段にてセル内の温度が前記予め設定された温度以下であることが検知された際に、前記制御手段によって、少なくとも前記第２の回路のスイッチがＯＮ制御されるようになっており、セル内温度検知手段にてセル内の温度が前記予め設定された温度よりも高い温度であることが検知された際に、前記制御手段によって、前記第２の回路のスイッチがＯＦＦ制御され、前記第１の回路のスイッチがＯＮ制御されるようになっているものである。
【００３３】
なお、上記する制御方法において、前記セル内の温度が予め設定された温度以下である際に、前記加熱手段を加熱することに加えて、燃料ガスおよび酸化剤ガスをセル内に導入しない姿勢で前記第１の回路もＯＮ制御するようになっており、セル内の温度が前記予め設定された温度よりも高くなった段階で、燃料ガスおよび酸化剤ガスのセル内への導入が実行され、燃料電池の発電を開始するような制御方法であってもよい。
【００３４】
上記する本発明の制御方法によって、各燃料電池セル内に存在する液体が凍結し得る低温雰囲気下におけるセル内温度が所望に制御されることにより、低温始動性に優れた燃料電池を形成することが可能となる。
【発明の効果】
【００３５】
以上の説明から理解できるように、本発明の燃料電池とその制御方法によれば、従来構造では未使用であった燃料電池セルの非発電領域である周縁領域に適宜の加熱手段を配し、この加熱手段を所望に制御してセル内の温度を迅速に昇温可能としたことにより、冷却媒体等の液体が凍結しないように調整したり、冷却媒体等が凍結している場合には可及的速やかに融解させることができ、したがって、燃料電池セルの未使用領域を有効に利用しながら、その低温始動性を格段に向上させることができる。
【図面の簡単な説明】
【００３６】
【図１】本発明の燃料電池を側面から見た模式図である。
【図２】図１の燃料電池を構成する燃料電池セルの一部を拡大した縦断面図である。
【図３】本発明の燃料電池の制御方法を説明したフロー図である。
【図４】従来の燃料電池を構成する燃料電池セルの実施の形態の一部を拡大した縦断面図である。
【発明を実施するための形態】
【００３７】
以下、図面を参照して本発明の実施の形態を説明する。なお、図示する燃料電池セルは、その左側領域、より具体的には、燃料ガスが導入されるガス供給用開口を含む領域のみを取り出して拡大した図であり、実際の燃料電池セルはこれと同構造の右側領域であって、ガス排気用開口を具備する領域を有するものであることは言うまでもないことである。また、説明をより明瞭とするべく、図２では酸化剤ガスの供給用開口などの図示は省略している。
【００３８】
図１は、本発明の燃料電池をその側面から見た図である。図示する燃料電池１００は、所望基数の燃料電池セル１０，…が積層されて燃料電池スタックをなし、それらの外側にそれぞれ、ターミナルプレート２０，２０、絶縁プレート３０，３０、総マイナス側エンドプレート４０Ａおよび総プラス側エンドプレート４０Ｂが配され、不図示のテンションプレートを介して全体がスタッキングされることにより、燃料電池１００が形成されている。なお、各燃料電池セル１０において、総マイナス側にアノード側電極、総プラス側にカソード側電極が形成されていることは言うまでもない。
【００３９】
また、図示例では、総マイナス側エンドプレート４０Ａの外側に断熱部材５０が配されており、総マイナス側エンドプレート４０Ａの保温性能をより確実に保障できるようになっている。
【００４０】
この燃料電池１００の総マイナス側ＳＭには、冷却媒体供給配管６０Ａと、冷却媒体排出配管６０Ｂそれぞれの端部開口が臨んでおり、冷却媒体供給配管６０Ａを流通する（Ｘ１方向でＷｉｎ）冷却媒体（冷却水など）は、各燃料電池セル１０のたとえばセパレータに設けられた不図示の流路を介してその面内方向に流れ（Ｘ２方向）、発電経過で発熱した電極体を所望にクーリングするようになっている。
各燃料電池セル１０内を流れた冷却水は、冷却媒体排出配管６０Ｂに排水され（Ｗｏｕｔ）、冷却媒体排出配管６０Ｂを介して燃料電池１００外に排出される。
【００４１】
ここで、図２を参照して各燃料電池セル１０の構造を概説する。図２は、図１の燃料電池を構成する燃料電池セルの一部を拡大した縦断面図である。
図２で示す燃料電池セル１０は、電解質膜１と、カソード側およびアノード側の触媒層２，２’と、から膜電極接合体３が形成され、これをカソード側およびアノード側のガス拡散層４，４’（ガス透過層）が挟持して電極体５が形成され、これをカソード側およびアノード側のガス流路層６，６’（ガス透過層、金属多孔体）が挟持し、さらに、アノード側のガス流路層６’側に３層構造のセパレータ７が配されて構成される。
【００４２】
触媒層２，２’は電解質膜１に比してそれらの面積が狭小であり、したがって、電解質膜１の両側の触媒層２，２’の周縁には該触媒層２，２’が存在しない露出領域１ａが形成され、この露出領域１ａには、カソード側およびアノード側の不図示の保護フィルムが配されて、ガス拡散層４，４’から突出する毛羽が電解質膜１の露出領域に突き刺さるのを防護している。
【００４３】
ここで、膜電極接合体３を構成する電解質膜１は、たとえば、スルホン酸基やカルボニル基を持つフッ素系イオン交換膜、置換フェニレンオキサイドやスルホン化ポリアリールエーテルケトン、スルホン化ポリアリールエーテルスルホン、スルホン化フェニレンスルファイドなどの非フッ素系のポリマーなどから形成される。
【００４４】
また、触媒層２，２’は、触媒が担持された導電性担体（粒子状のカーボン担体など）と、電解質と、分散溶媒（有機溶媒）と、を混合して触媒溶液（触媒インク）を生成し、これを電解質膜１やガス拡散層４，４’等の基材にたとえば塗工ブレードにて層状に引き伸ばして塗膜を形成し、温風乾燥炉等で乾燥することで触媒層が形成される。ここで、触媒溶液を形成する電解質は、プロトン伝導性ポリマーである、有機系の含フッ素高分子を骨格とするイオン交換樹脂、例えばパーフルオロカーボンスルフォン酸樹脂、スルホン化ポリエーテルケトン、スルホン化ポリエーテルスルホン、スルホン化ポリエーテルエーテルスルホン、スルホン化ポリスルホン、スルホン化ポリスルフィド、スルホン化ポリフェニレン等のスルホン化プラスチック系電解質、スルホアルキル化ポリエーテルエーテルケトン、スルホアルキル化ポリエーテルスルホン、スルホアルキル化ポリエーテルエーテルスルホン、スルホアルキル化ポリスルホン、スルホアルキル化ポリスルフィド、スルホアルキル化ポリフェニレンなどのスルホアルキル化プラスチック系電解質などを挙げることができる。なお、市販素材としては、ナフィオン（Ｎａｆｉｏｎ）（登録商標、デュポン社製）やフレミオン（Ｆｌｅｍｉｏｎ）（登録商標、旭硝子株式会社製）などを挙げることができる。また、分散溶媒としては、メタノール、エタノール、１−プロパノール、２−プロパノール、エチレングリコール、ジエチレングリコール等のアルコール類、アセトン、メチルエチルケトン、ジメチルホルムアミド、ジメチルイミダゾリジノン、ジメチルスルホキシド、ジメチルアセトアミド、Ｎ−メチルピロリドン、プロピレンカーボネート、酢酸エチルや酢酸ブチルなどのエステル類、芳香族系あるいはハロゲン系の種々の溶媒を挙げることができ、さらには、これらを単独で、もしくは混合液として使用することができる。さらに、触媒が担持された導電性担体に関し、この導電性担体としては、カーボンブラック、カーボンナノチューブ、カーボンナノファイバーなどの炭素材料のほか、炭化ケイ素などに代表される炭素化合物などを挙げることができ、この触媒（金属触媒）としては、たとえば、白金や白金合金、パラジウム、ロジウム、金、銀、オスミウム、イリジウムなどのうちのいずれか一種を使用することができ、好ましくは白金または白金合金を使用するのがよい。さらに、この白金合金としては、たとえば、白金と、アルミニウム、クロム、マンガン、鉄、コバルト、ニッケル、ガリウム、ジルコニウム、モリブデン、ルテニウム、ロジウム、パラジウム、バナジウム、タングステン、レニウム、オスミウム、イリジウム、チタンおよび鉛のうちの少なくとも一種との合金を挙げることができる。
【００４５】
また、ガス拡散層４，４’は、拡散層基材と集電層（ＭＰＬ）からなるものであり、拡散層基材としては、電気抵抗が低く、集電を行えるものであれば特に限定されるものではないが、たとえば、導電性無機物質を主とするものを挙げることができ、この導電性無機物質としては、ポリアクリロニトリルからの焼成体、ピッチからの焼成体、黒鉛及び膨張黒鉛等の炭素材やこれらのナノカーボン材料、ステンレススチール、モリブデン、チタン等を挙げることができる。また、拡散層基材の導電性無機物質の形態は特に限定されるものではなく、たとえば繊維状あるいは粒子状で用いられるが、ガス透過性の点から無機導電性繊維であって、特に炭素繊維が好ましい。無機導電性繊維を用いた拡散層基材としては、織布あるいは不織布いずれの構造のものも使用することができ、カーボンペーパーやカーボンクロスなどを挙げることができる。織布としては、紋織、平織など、特に限定されるものではなく、不織布としては、抄紙法、ウォータージェットパンチ法によるものなどが挙げられる。さらに、この炭素繊維としては、フェノール系炭素繊維、ピッチ系炭素繊維、ポリアクリロニトリル（ＰＡＮ）系炭素繊維、レーヨン系炭素繊維などを挙げることができる。さらに、集電層はアノード側、カソード側の触媒層２，２’から電子を集める電極の役割を果たすとともに、生成水等を排水する撥水作用を有するものであり、導電性材料である、白金、パラジウム、ルテニウム、ロジウム、イリジウム、金、銀、銅及びこれらの化合物または合金、導電性炭素材料と、フッ素樹脂（ＰＴＦＥ）などから形成できる。
【００４６】
また、金属多孔体６，６’は、エキスパンドメタルや金属発泡焼結体などから形成でき、たとえば、チタンやステンレス、銅、ニッケル等の耐食性に優れた金属素材の発泡焼結体からガス流路層が形成されるものである。
【００４７】
また、３層構造のセパレータ７は、ステンレスやチタンからなる金属製の第１、第２のプレート７１，７２と、その間に介在する中間層７３（中間プレート）と、がろう付け等で一体化されたものである。
【００４８】
図示するセパレータ７を構成する中間層７３には、自身が構成要素となる燃料電池セルのアノード側の金属多孔体６'に燃料ガスを供給するための燃料ガスの導入路７３ｂと、セルの積層姿勢において、隣接する不図示の燃料電池セルのカソード側の金属多孔体６に酸化剤ガスを供給する（Ｚ１方向）ための導入路７３ａが形成されている。さらには、冷却水等の冷却媒体が流通する冷却用流路７３ｃが形成されている。ここで、中間層７３には、その内側の領域に冷却用流路７３ｃが形成されており、中間層７３には燃料ガス用の導入路７３ｂが形成され、これに連通する第１のプレート７１には、平面視で細長形状の燃料ガス用のガス供給用開口７１ａ（コモンレールとも称される）が形成され、このコモンレールを介して燃料ガスがガス流路層６’に提供されるようになっている（Ｚ２方向）。なお、ガス流路層６’に提供された燃料ガスは、当該ガス流路層６’内を面内方向に流れ（Ｚ３方向）、各所でガス拡散層４’に提供されるものである（Ｚ４方向）。
【００４９】
また、中間層７３にはさらに酸化剤ガス用の導入路７３ａが形成され、これに連通する第２のプレート７２に形成された細長形状の酸化剤ガス用のガス供給用開口７２ａが形成されている。なお、図示しない燃料ガスや酸化剤ガスの排出路やガス排気用開口も、不図示の燃料電池セルの右側領域に形成されている。
【００５０】
なお、図示を省略しているが、触媒層の周縁であって電解質膜が該触媒層と密着していない露出領域には、ガス拡散層から突出する毛羽が電解質膜に突き刺さるのを防止し、さらには、射出成形されるガスケットに対して電解質膜を補強する効果を奏する保護ポリマーフィルムが接着されている。この保護ポリマーフィルムは、ポリテトラフルオロエチレン、ＰＶＤＦ（二フッ化ポリビニル）、ポリエチレン、ポリエチレンナフタレート（ＰＥＮ）、ポリカーボネート、ポリフェニレンエーテル（ＰＰＥ）、ポリプロピレン、ポリエステル、ポリアミド、コポリアミド、ポリアミドエラストマ、ポリイミド、ポリウレタン、ポリウレタンエラストマ、シリコーン、シリコンゴム、シリコンベースのエラストマなどから形成されるものである。
【００５１】
ガスケット８は、その端部のマニホールドＭの周縁に該マニホールドＭを囲繞する無端リブ８ａを有するものである。その成形方法の概要は、不図示の成形型内にアノード側の金属多孔体６’、電極体５、カソード側の金属多孔体６の順に収容して型閉めし、膜電極接合体４の側方のガスケット用キャビティ内に樹脂を注入する（射出成形）等の方法でおこなわれる。ここで、このガスケットの材料としては、耐メタノール性を有するエポキシ系樹脂、エポキシ変性シリコーン樹脂、シリコーン系樹脂、フッ素系樹脂、ウレタンＲＴＶゴムやブチルゴム系樹脂、シリコーンＲＴＶゴム、ＥＰＤＭ系樹脂等が使用できる。
【００５２】
図示する燃料電池セル１０では、発電に寄与する中央領域と、発電に寄与しない周縁領域を絶縁する絶縁領域９が設けられており、この周縁領域に、別途の触媒層２ａ、２’ａが形成されている。すなわち、触媒層２，２’は第１の触媒層であり、触媒層２ａ、２’ａは第２の触媒層であって、この第２の触媒層２ａ、２’ａが発熱手段を形成するものである。
【００５３】
燃料電池セル１０の絶縁領域９は、触媒層やセパレータ等、各構成部材に跨って形成されるものであり、各構成部材を形成する過程で、適宜の絶縁樹脂を充填硬化させたり、この領域のみ絶縁金属素材で形成する等の方法で当該絶縁領域９が形成される。
【００５４】
燃料電池セル１０内にこの絶縁領域９を設け、少なくとも第１の触媒層２，２’と第２の触媒層２ａ、２’ａを完全に通電不可としたことにより、以下で説明するように、中央領域のみからなる電気回路と、周縁領域のみからなる電気回路を形成することが可能となる。
【００５５】
なお、第２の触媒層２ａ、２’ａは発熱手段となり、燃料電池１００の低温始動性を高めるために設けられた構成であることから、第１の触媒層２，２’に比して発熱性能を高めるべく、第２の触媒層２ａ、２’ａを形成する担持触媒量を相対的に少なくしたり、第２の触媒層２ａ、２’ａのガス透過層との間の接触抵抗を相対的に大きくする（したがって、面圧を低減する）、などの措置を講じておくのが好ましい。
【００５６】
図１に戻り、本発明の燃料電池１００は、各燃料電池セル１０の周縁領域を介して形成された回路Ｋ２（第２の回路）と、この回路Ｋ２と絶縁領域９を挟んで絶縁され、各燃料電池セル１０の中央領域を介して形成された回路Ｋ１（第１の回路）と、を有しており、各回路Ｋ１，Ｋ２の通電制御を実行するためのスイッチＳＷ１，ＳＷ２が設けられている。第２の回路Ｋ２には負荷装置Ｆ２が介在しており、第１の回路Ｋ１には、燃料電池スタックによって発電された電力を取り出すための電力取り出し装置Ｆ１が介在している。
【００５７】
そして、冷却媒体排出配管６０Ｂの内部に温度センサＳＥ（セル内温度検知手段）が配されており、少なくとも冷却水等の冷却媒体の温度がセンシングできるようになっている。
温度センサＳＥによる計測データは制御装置ＳＧ（制御手段）に送信され、計測データに基づいて、この制御手段ＳＧにて、各回路Ｋ１，Ｋ２のスイッチＳＷ１，ＳＷ２のＯＮ−ＯＦＦ制御が実行されるようになっている。
【００５８】
なお、制御装置ＳＧの内部構造の図示は省略するが、その内部構造は、公知のＣＰＵ，ＲＡＭ，ＲＯＭ、インターフェイス回路、温度計測データ取得部、閾値となる「予め設定された温度」を格納する格納部、この予め設定された温度と温度計測データを比較し、その結果に応じてスイッチＳＥ１，ＳＥ２にＯＮ−ＯＦＦ制御信号を送信する比較演算部、などが、バスなどで繋がれた構造となっている。
【００５９】
次に、図１で示す燃料電池１００の制御方法を図３で示すフロー図に基づいて説明する。なお、ここでは、本発明の燃料電池１００を搭載する車両（ハイブリッド車、電気自動車（燃料電池車も含まれる））がその効果を奏する条件である、冷却媒体（冷却水）が凍結し得る冬期、もしくは寒冷地に置かれていることを条件とする。
【００６０】
まず、車両が停止し、したがって、燃料電池が停止した状態（一応、この状態をステップＳ１とする）から、車両のイグニッションをＯＮする（ステップＳ２）。
イグニッションがＯＮされると、温度センサＳＥによる温度計測データが制御装置ＳＧに送信され、ここで、セル内温度が予め設定された温度以下か否かが比較される（ステップＳ３）。なお、この「予め設定された温度」は、冷却媒体に冷却水を使用する場合には、この冷却水の氷点である摂氏ゼロ度とすることができ、あるいは、その氷点よりも若干高めの温度を設定しておくことで、冷却媒体の凍結を確実に抑止するようにしてもよい。
【００６１】
比較の結果、温度計測データが予め設定された温度以下であると判断された際には、回路Ｋ２のスイッチＳＷ２のみをＯＮ制御する、もしくは、ガスを燃料電池セルに提供しない姿勢で回路Ｋ１のスイッチＳＷ１もともにＯＮ制御する、ことで、少なくとも発熱手段である第２の触媒層２ａ、２’ａを発熱させることができる（スイッチＳＷ１もＯＮした際には、第１の触媒層２，２’も発熱手段となり得る）。
【００６２】
温度センサＳＥによるセンシングは継続されており、計測データは制御装置ＳＧに随時送信され、設定温度との比較が随時実行されていて（ステップＳ６）、セル内温度が予め設定された温度より高くなった段階で、スイッチＳＷ２はＯＦＦ制御され（ステップＳ７）、発熱が終了する。このような発熱を終了させる制御をもおこなうことで、周縁領域が過熱されることが抑止される。
【００６３】
一方、上記ステップＳ３で、セル内温度が予め設定された温度よりも高い場合には、発熱手段による発熱の必要がないことから、スイッチＳＷ１のみがＯＮ制御され（ステップＳ５）、燃料ガスおよび酸化剤ガスがセル内に導入されて（ステップＳ８）、燃料電池１００による発電が実行され、電力取り出し装置Ｆ１にて電力の取り出しが実行される（ステップＳ９）。
また、ステップＳ７で発熱手段の作動が停止された後は、ステップＳ５以降と同様の制御フローを辿ることになる。
【００６４】
図示する本発明の燃料電池１００やその制御方法によれば、従来構造の燃料電池にて未使用の周縁領域を発熱手段として有効利用しながら、セル内に存在する冷却媒体等が凍結し得る低温雰囲気下において、当該冷却媒体の凍結の有無に関わらず、可及的速やかに燃料電池の通常発電を実行できる状態を形成することができる（良好な低温始動性）。
【００６５】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。たとえば、図示するコモンレールが、酸化剤ガス導入路であり、この内側に燃料ガス用のコモンレールが配された構造であってもよい。
【符号の説明】
【００６６】
１…電解質膜、１ａ…張り出している箇所、２、２’…触媒層（第１の触媒層）、２ａ、２’ａ…触媒層（第２の触媒層、発熱手段）、３…膜電極接合体、４…カソード側のガス拡散層（ガス透過層）、４’…アノード側のガス拡散層（ガス透過層）、５…電極体、６…カソード側の金属多孔体（ガス透過層、ガス流路層）、６’…アノード側の金属多孔体（ガス透過層、ガス流路層）、７…セパレータ、７１…第１のプレート（アノード側プレート）、７１ａ…ガス供給用開口（コモンレール）、７２…第２のプレート（カソード側プレート）、７３…中間層（中間プレート）、７３ａ…酸化剤ガスの導入路、７３ｂ…燃料ガスの導入路、７３ｃ…冷却用流路、８…ガスケット、９…絶縁領域、１０…燃料電池セル、１００…燃料電池
【図１】
2010287439.tif 000003
【図２】
2010287439.tif 000004
【図３】
2010287439.tif 000005
【図４】
2010287439.tif 000006